【手続補正書】
【提出日】令和2年6月23日(2020.6.23)
【手続補正１】
【補正対象書類名】特許請求の範囲
【補正対象項目名】全文
【補正方法】変更
【補正の内容】
【特許請求の範囲】
【請求項１】
サンプル（Ｐ）を受け入れるためのカートリッジ（１００）と、前記カートリッジ（１００）を受け入れてその後に該受け入れたカートリッジ（１００）を用いて検査を実施するための分析デバイス（２００）と、を備えている、特に生体サンプル（Ｐ）を検査するための分析システム（１）において、
データ接続に関して前記分析デバイス（２００）から分離可能、及び／又は該分析デバイス（２００）に無線接続可能である作動計器（４００）を備え、
前記作動計器（４００）は、前記カートリッジ（１００）に対応するカートリッジ識別子（１００Ｃ）を決定する又は読み出すように、且つ該カートリッジ識別子（１００Ｃ）を用いて、前記検査を実施するための制御情報（５１０）をデータベース（５００）から検索して該制御情報（５１０）を前記分析デバイス（２００）に送信するように設計されている、
ことを特徴とする分析システム（１）。
【請求項２】
前記カートリッジ（１００）は、前記カートリッジ識別子（１００Ｃ）を前記作動計器（４００）によってそこから読み出すことができるメモリ手段（１００Ｄ）を備えている、  
請求項１に記載の分析システム。
【請求項３】
前記分析デバイス（２００）は、前記又は異なるカートリッジ識別子（１００Ｃ）を読み出すように構成されている、
請求項１又は２に記載の分析システム。
【請求項４】
前記分析デバイス（２００）は、前記作動計器（４００）から独立して、非接続で、且つ/又は別に送られてきた前記制御情報(５１０)を使用して前記検査を実施するように構成されている、
請求項１ないし３のいずれか１項に記載の分析システム。
【請求項５】
前記分析デバイス（２００）は、前記制御情報（５１０）を前記作動計器（４００）から無線受信するための受信機（２１０Ａ）を備えている、
請求項１ないし４のいずれか１項に記載の分析システム。
【請求項６】
サンプル（Ｐ）を受け入れるためのカートリッジ（１００）と、前記カートリッジ（１００）を受け入れてその後に該受け入れたカートリッジ（１００）を用いて検査を実施するための分析デバイス（２００）とを備えている、特に生体サンプル（Ｐ）を検査するための好ましくは請求項１ないし５のいずれか１項に従った分析システム（１）において、
分析システム（１）が、データ接続に関して前記分析デバイス（２００）から分離可能、及び／又は該分析デバイス（２００）に無線接続可能である作動計器（４００）を備え、
前記作動計器（４００）は、前記カートリッジ（１００）によってサポートされた前記検査を実施するために前記分析デバイス（２００）のアクチュエータ（２０２、２０４、２０５）を制御するための制御情報（５１０）を外部データベース（５００）から検索するように、かつ前記制御情報（５１０）を該分析デバイス（２００）に送信するように構成され、該分析デバイス（２００）は、前記送信された制御情報（５１０）を用いて、該作動計器（４００）から独立に、切断されて、及び／又は別々に該検査を実施するように構成されている、
ことを特徴とする分析システム（１）。
【請求項７】
前記制御情報（５１０）は、前記分析デバイス（２００）によって実施することができるモジュールを形成する命令を含み、その結果として該分析デバイス（２００）の挙動が変更可能である又は変更される、
請求項１ないし６のいずれか１項に記載の分析システム。
【請求項８】
前記分析デバイス（２００）は、
前記制御情報（５１０）によって指定された方式で前記サンプル（Ｐ）が前記カートリッジ（１００）内でセンサ装置（１１３）に搬送される、
前記制御情報（５１０）によって指定された方式で前記カートリッジ（１００）のバルブ（１１５）が開放又は閉鎖される、及び
前記制御情報（５１０）によって指定された方式で前記サンプル（Ｐ）及び／又はセンサ装置（１１３）が温度制御されるように前記分析デバイス（２００）の１又は２以上の温度制御装置（２０４）が制御される、
の少なくとも１つが行われるように、前記制御情報（５１０）を用いて前記分析デバイス（２００）の装置を制御するように構成されている、
請求項６又は７に記載の分析システム。
【請求項９】
サンプル（Ｐ）を受け入れるためのカートリッジ（１００）と、前記カートリッジ（１００）を受け入れてその後に該受け入れたカートリッジ（１００）を用いて検査を実施するための分析デバイス（２００）とを備えている、特に生体サンプル（Ｐ）を検査するための好ましくは請求項１ないし８のいずれか１項に従った分析システム（１）において、
データ接続に関して前記分析デバイス（２００）から分離可能、及び／又は該分析デバイス（２００）に無線接続される作動計器（４００）を備え、
前記分析デバイス（２００）は、前記作動計器（４００）から制御情報（５１０）を受信し、該制御情報（５１０）を用いて前記カートリッジ（１００）内の前記サンプル（Ｐ）の前記検査を制御し、かつ該検査中に決定された測定結果（７１３）をいずれの事前評価もなしに該作動計器（４００）に送信するように構成されている、
ことを特徴とする分析システム（１）。
【請求項１０】
前記作動計器（４００）は、前記検査によって決定された測定結果（７１３）を評価するための評価情報（５３０）をデータベース（５００）から検索するように構成されている、
請求項９に記載の分析システム。
【請求項１１】
前記評価情報（５３０）は、前記作動計器（４００）によって実施可能であるモジュールを形成する命令を含み、その結果として該作動計器（４００）の挙動が変更可能である、
請求項１０に記載の分析システム。
【請求項１２】
前記分析デバイス（２００）は、前記カートリッジ（１００）の前記センサ装置（１１３）から測定結果（７１３）を読み出すための読み出しモジュール（２０７Ｃ）を備え、及び/又は
前記分析デバイス（２００）は、前記センサ装置（１１３）から読み出された測定結果（７１３）を前記作動計器（４００）に送信するための送信機（２１０Ｂ）を備えている、
請求項９ないし１１のいずれか１項に記載の分析システム。
【請求項１３】
サンプル（Ｐ）を受け入れるためのカートリッジ（１００）と、前記カートリッジ（１００）を受け入れてその後に該受け入れたカートリッジ（１００）を用いて検査を実施するための分析デバイス（２００）とを備えている、特に生体サンプル（Ｐ）を検査するための好ましくは請求項１ないし１２のいずれか１項に従った分析システム（１）であって、
前記カートリッジ（１００）に対応するカートリッジ識別子（１００Ｃ）を決定し、読み出し、又は受信するように、かつ該カートリッジ識別子（１００Ｃ）を用いて、前記検査中に決定された測定結果（７１３）を評価するための評価情報（５３０）をデータベース（５００）から検索し、かつ該評価情報（５３０）を用いて前記分析デバイス（２００）から独立に、切断して、及び／又は別々に該測定結果（７１３）を評価するように構成された携帯可能な作動計器（４００）を備えている、
ことを特徴とする分析システム（１）。
【請求項１４】
前記作動計器（４００）は、前記検査を制御するため、および/又は、前記計測結果（７１３）の評価又は出力のためにユーザインタフェースを形成する、
請求項１３に記載の分析システム(１)。
【請求項１５】
前記カートリッジ識別子（１００Ｃ）は、前記カートリッジ（１００）に対して固有である及び/又は前記カートリッジ(１００)を固有に識別できるように設計されている、
請求項１３または１４に記載の分析システム(１)。
【請求項１６】
前記カートリッジ（１００）は、前記カートリッジ識別子（１００Ｃ）を前記作動計器（４００）および/又は前記分析デバイス（２００）によってそこから読み出すことができるメモリ手段（１００Ｄ）を備えている、
請求項１３ないし１５のいずれか１項に記載の分析システム。
【請求項１７】
前記分析デバイス（２００）は、前記カートリッジ（１００）のセンサ装置（１１３）から読み出された測定結果（７１３）を前記作動計器（４００）に送信するための送信機（２１０Ｂ）を備え、および/または、前記分析デバイス（２００）は、前記検査の間に決定された測定結果（７１３）を、従前評価無しで前記作動計器（４００）に送るように構成されている、
請求項１３ないし１６のいずれか１項に記載の分析システム。
【請求項１８】
前記作動計器（４００）は、前記カートリッジ（１００）のセンサ装置（１１３）から読み出された測定結果（７１３）を、前記評価情報（５３０）を用いて評価するように構成された評価モジュール（４４０）を備え、および/または、前記評価情報（５３０）が、前記作動計器（４００）によって実施することができるモジュールを形成する命令を有し、その結果、前記作動計器（４００）の挙動が変更される又は変更可能となる、
請求項１３ないし１７のいずれか１項に記載の分析システム。
【請求項１９】
前記作動計器（４００）は、出力装置（４１０）、詳細にはディスプレイを備え、かつ前記評価情報（５３０）を用いて前記測定結果（７１３）を評価することによって決定された評価結果（７４０）を出力するように構成され、および/又は、前記作動計器（４００）が、前記分析デバイス（２００）への指令および/又は情報の伝達をトリガする入力装置（４２０）を備えている、
請求項１３ないし１８のいずれか１項に記載の分析システム。
【請求項２０】
前記作動計器（４００）は、評価結果（７４０）をデータベース（５００）に送るように構成され、および/又は、
前記作動計器（４００）は、データ接続に関して前記分析デバイス（２００）から分離可能、及び／又は該分析デバイス（２００）に無線接続可能である、
請求項１３ないし１９のいずれか１項に記載の分析システム。
【請求項２１】
分析システム（１）が、異なる検査を実施するための少なくとも１つのカートリッジ（１００）又は異なる検査を実施するための複数の異なるカートリッジ（１００）を含み、評価情報（５３０）の異なる部分が、該異なる検査の１又は２以上に又はそこからもたらされる測定結果（７１３）に対応する、
請求項１３ないし２０のいずれか１項に記載の分析システム。
【請求項２２】
前記作動計器（４００）は、さらに、前記カートリッジ識別子（１００Ｃ）を使用して、データベース（５００）から前記検査を行うための制御情報（５１０）検索し、前記制御情報（５１０）を前記分析デバイス（２００）に送るように設計されている、
請求項１３ないし２１のいずれか１項に記載の分析システム。
【請求項２３】
サンプル（Ｐ）を受け入れるためのカートリッジ（１００）と、前記カートリッジ（１００）を受け入れてその後に該受け入れたカートリッジ（１００）を用いて検査を実施するための分析デバイス（２００）とを備えている分析システム（１）を用い、特に生体サンプル（Ｐ）を検査する方法において、
分析システム（１）が、データ接続に関して前記分析デバイス（２００）から分離可能、及び／又は該分析デバイス（２００）に無線接続可能である作動計器（４００）を備え、
前記作動計器（４００）は、前記カートリッジ（１００）に対応するカートリッジ識別子（１００Ｃ）を決定するか又は読み出し、かつ該カートリッジ識別子（１００Ｃ）を用いて、前記検査を実施するための制御情報（５１０）をデータベース（５００）から検索して該制御情報（５１０）を前記分析デバイス（２００）に送信する、
ことを特徴とする方法。
【請求項２４】
カートリッジ（１００）を受け入れてその後に該受け入れたカートリッジ（１００）を用いて検査を実施するための分析デバイス（２００）を備えている好ましくは請求項２３に従った分析システム（１）を用い、特に生体サンプル（Ｐ）を検査する方法において、
前記分析システム（１）は、データ接続に関して前記分析デバイス（２００）から分離可能、及び／又は該分析デバイス（２００）に無線接続可能である作動計器（４００）を備え、
前記作動計器（４００）は、前記カートリッジ（１００）によってサポートされた前記検査を実施するために前記分析デバイス（２００）のアクチュエータ（２０２、２０４、２０５）を制御するための制御情報（５１０）を外部データベース（５００）から検索して該制御情報（５１０）を該分析デバイス（２００）に送信し、該分析デバイス（２００）は、該送信された制御情報（５１０）を用いて該作動計器（４００）から独立に、切断して、及び／又は別々に該検査を実施する、
ことを特徴とする方法。
【請求項２５】
分析システム（１）が、カートリッジ（１００）を受け入れてその後に該受け入れたカートリッジ（１００）を用いて検査を実施するための分析デバイス（２００）を備えている好ましくは請求項２３又は２４に従った分析システム（１）を用い、特に生体サンプル（Ｐ）を検査する方法において、
前記分析システム（１）は、データ接続に関して前記分析デバイス（２００）から分離可能、及び／又は該分析デバイス（２００）に無線接続可能である作動計器（４００）を備え、
前記分析デバイス（２００）は、前記作動計器（４００）から制御情報（５１０）を受信し、該制御情報（５１０）を用いて前記カートリッジ（１００）内の前記サンプル（Ｐ）の前記検査を制御し、かつ該検査中に決定された測定結果（７１３）をいずれの事前評価もなしに該作動計器（４００）に送信する、
ことを特徴とする方法。
【請求項２６】
カートリッジ（１００）を受け入れてその後に該受け入れたカートリッジ（１００）を用いて検査を実施するための分析デバイス（２００）を備えている好ましくは請求項２３ないし２５のいずれか１項に従った分析システム（１）を用い、特に生体サンプル（Ｐ）を検査する方法であって、
前記分析システム（１）は、携帯可能な作動計器（４００）を含み、該作動計器（４００）は、前記カートリッジ（１００）に対応するカートリッジ識別子（１００Ｃ）を決定し、読み出し、又は受信し、該カートリッジ識別子（１００Ｃ）を用いて前記検査中に決定された測定結果（７１３）を評価するための評価情報（５３０）をデータベース（５００）から検索し、かつ該評価情報（５３０）を用いて前記分析デバイス（２００）から独立に、切断して、及び／又は別々に該測定結果（７１３）を評価する、
ことを特徴とする方法。
【請求項２７】
実行された時に請求項２３ないし２６および２９のいずれか１項に記載の方法の方法段階を実施させるプログラムコード手段を備えている、
コンピュータプログラム製品。
【請求項２８】
特に生体サンプル（Ｐ）を検査するための、好ましくは請求項１ないし２２に記載された分析システム（１）であって、
前記サンプル（Ｐ）を受け入れるためのカートリッジ（１００）と、前記カートリッジ（１００）を受け入れてその後に該受け入れたカートリッジ（１００）を用いて検査を実施するための分析デバイス（２００）と、検査を実行するために前記分析デバイス（２００）を制御する制御情報（５１０）および/又は前記検査の間に決定された計測結果（７１３）を評価する評価情報（５３０）と、を備えている分析システム（１）において、
データ接続に関して前記分析デバイス（２００）から分離可能、及び／又は該分析デバイス（２００）に無線接続可能である作動計器（４００）を備え、
前記制御情報（５１０）および/又は評価情報（５３０）が、前記分析デバイス（２００）および/又は作動機器（４００）によって実施することができるモジュールを形成する命令を含み、その結果として該分析デバイス（２００）および/又は作動機器（４００）の挙動が変更可能である又は変更され、
前記命令が、前記分析デバイス（２００）および/又は作動機器（４００）のモジュールを形成および/又は置換する、
ことを特徴とする分析システム（１）。
【請求項２９】
特に生体サンプル（Ｐ）を、好ましくは請求項１ないし２２に記載された分析システム（１）で検査する方法であって、
前記分析システム（１）が、前記カートリッジ（１００）を受け入れてその後に該受け入れたカートリッジ（１００）を用いて検査を実施するための分析デバイス（２００）と、検査を実行するために前記分析デバイス（２００）を制御する制御情報（５１０）および/又は前記検査の間に決定された計測結果（７１３）を評価する評価情報（５３０）と、を備えている方法において、
前記分析システム（１）が、  データ接続に関して前記分析デバイス（２００）から分離可能、及び／又は該分析デバイス（２００）に無線接続可能である作動計器（４００）を備え、
前記命令が、前記分析デバイス（２００）および/又は作動機器（４００）のモジュールを形成および/又は置換する前記制御情報（５１０）および/又は前記評価情報（５３０）を準備するステップと、
前記分析デバイス（２００）および/又は作動機器（４００）によって前記命令またはモジュールを実行し、その結果、該分析デバイス（２００）および/又は作動機器（４００）の挙動が変更される、
ことを特徴とする方法。
【請求項３０】
前記命令が、コマンド、マシンコード、プレコンパイルドソースコード、ソースコードであり、且つ/又は、前記指令が、特に、プラグインのようなモジュール様ソフトウエア要素である、
請求項２８の分析システム又は請求項２９の方法。